【手続補正書】
【提出日】平成15年9月3日(2003.9.3)
【手続補正１】
【補正対象書類名】明細書
【補正対象項目名】発明の名称
【補正方法】変更
【補正の内容】
【発明の名称】情報記録媒体、記録装置及び記録方法並びに再生装置及び再生方法
【手続補正２】
【補正対象書類名】明細書
【補正対象項目名】特許請求の範囲
【補正方法】変更
【補正の内容】
【特許請求の範囲】
【請求項１】
連続的な内容を有する情報を時間的に分割し、検索情報に関する関連情報片を夫々に含む複数の第３情報片を作成する第３情報片作成手段と、
１又は複数の前記第３情報片により構成される第２情報片を作成する第２情報片作成手段と、
前記第３情報片及び前記第２情報片を情報記録媒体上に記録する記録手段と、
を備え、
前記検索情報には、ジャンプ再生時における複数のジャンプ再生方法のうちのいずれか一を選択するために用いられるジャンプ再生方法選択情報片を含み、
当該ジャンプ再生方法選択情報片は、インターリーブ情報とアングル情報から構成されることを特徴とする記録装置。
【請求項２】
複数の前記第３情報片により構成される第１情報片を作成する第１情報片作成手段を更に備えることを特徴とする請求項１に記載の記録装置。
【請求項３】
前記情報記録媒体に記録される複数の前記第１情報片の一部は、複数の前記第２情報片を含んで構成されることを特徴とする請求項２に記載の記録装置。
【請求項４】
前記インターリーブ情報は、インターリーブフラグ、前記第２情報片の最終アドレス及び当該最終アドレスに対応する前記第２情報片の次に記録される前記第２情報片の先頭アドレスを含むことを特徴とする請求項１乃至３のいずれか１に記載の記録装置。
【請求項５】
前記アングル情報はアングルチェンジを行うに当たってシームレスな切り替えが可能であるか否かを示す情報であることを特徴とする請求項１乃至４のいずれか１に記載の記録装置。
【請求項６】
前記情報記録媒体はスタンパディスクであり、
前記スタンパディスクを用いてレプリカディスクを製造するレプリケーション手段を更に備えたことを特徴とする請求項１乃至５のいずれか１に記載の記録装置。
【請求項７】
請求項６に記載の記録装置で製造されたレプリカディスク。
【請求項８】
連続的な内容を有する情報を時間的に分割し、検索情報に関する関連情報片を夫々に含む複数の第３情報片を作成する第３情報片作成工程と、
１又は複数の前記第３情報片により構成される第２情報片を作成する第２情報片作成工程と、
前記第３情報片及び前記第２情報片を情報記録媒体上に記録する記録工程と、
を含み、
前記検索情報には、ジャンプ再生時における複数のジャンプ再生方法のうちのいずれか一を選択するために用いられるジャンプ再生方法選択情報片を含み、
当該ジャンプ再生方法選択情報片は、インターリーブ情報とアングル情報から構成されることを特徴とする記録方法。
【請求項９】
複数の前記第３情報片により構成される第１情報片を作成する第１情報片作成工程を更に含むことを特徴とする請求項８に記載の記録方法。
【請求項１０】
前記情報記録媒体に記録される複数の前記第１情報片の一部は、複数の前記第２情報片を含んで構成されることを特徴とする請求項９に記載の記録方法。
【請求項１１】
前記インターリーブ情報は、インターリーブフラグ、前記第２情報片の最終アドレス及び当該最終アドレスに対応する前記第２情報片の次に記録される前記第２情報片の先頭アドレスを含むことを特徴とする請求項８乃至１０のいずれか１に記載の記録方法。
【請求項１２】
前記アングル情報はアングルチェンジを行うに当たってシームレスな切り替えが可能であるか否かを示す情報であることを特徴とする請求項８乃至１１のいずれか１に記載の記録方法。
【請求項１３】
前記情報記録媒体はスタンパディスクであり、
前記スタンパディスクを用いてレプリカディスクを製造するレプリケーション工程を更に含むことを特徴とする請求項８乃至１２のいずれか１に記載の記録方法。
【請求項１４】
請求項１３に記載の記録方法で製造されたレプリカディスク。
【請求項１５】
連続的な内容を有する情報が時間的に分割されて夫々に含まれていると共に検索情報に関する関連情報片が夫々に含まれている複数の第３情報片と、１又は複数の前記第３情報片により構成される第２情報片と、が記録された情報記録媒体であって、前記検索情報には、ジャンプ再生時における複数のジャンプ再生方法のうちのいずれか一を選択するために用いられるジャンプ再生方法選択情報片が含まれており、当該ジャンプ再生方法選択情報片は、インターリーブ情報と、アングル情報と、から構成されている前記情報記録媒体から情報を再生する再生装置であって、
読取手段と、
読取結果から前記インターリーブ情報及び前記アングル情報を抽出する手段と、
アングルチェンジの指示に応答して、前記インターリーブ情報及び前記アングル情報に基づいて前記情報の再生を制御する制御手段と、
を備えたことを特徴とする再生装置。
【請求項１６】
前記制御手段は、前記インターリーブ情報及び前記アングル情報に基づいて、前記読取手段のジャンプ動作を制御することを特徴とする請求項１５に記載の再生装置。
【請求項１７】
前記情報記録媒体には複数の前記第３情報片により構成される第１情報片が記録されていることを特徴とする請求項１５又は１６に記載の再生装置。
【請求項１８】
前記情報記録媒体に記録される複数の前記第１情報片の一部は、複数の前記第２情報片を含んで構成されることを特徴とする請求項１５乃至１６のいずれか１に記載の再生装置。
【請求項１９】
前記インターリーブ情報は、インターリーブフラグ、第２情報片の最終アドレス及び当該最終アドレスに対応する前記第２情報片の次に再生される前記第２情報片の先頭アドレスを含むことを特徴とする請求項１５乃至１８のいずれか１に記載の再生装置。
【請求項２０】
前記アングル情報はアングルチェンジを行うに当たってシームレスな切り替えが可能であるか否かを示す情報であることを特徴とする請求項１５乃至１９のいずれか１に記載の再生装置。
【請求項２１】
連続的な内容を有する情報が時間的に分割されて夫々に含まれていると共に検索情報に関する関連情報片が夫々に含まれている複数の第３情報片と、１又は複数の前記第３情報片により構成される第２情報片と、が記録された情報記録媒体であって、前記検索情報には、ジャンプ再生時における複数のジャンプ再生方法のうちのいずれか一を選択するために用いられるジャンプ再生方法選択情報片が含まれており、当該ジャンプ再生方法選択情報片は、インターリーブ情報と、アングル情報と、から構成されている前記情報記録媒体から情報を再生する再生方法であって、
読取工程と、
読取結果から前記インターリーブ情報及び前記アングル情報を抽出する工程と、
アングルチェンジの指示に応答して、前記インターリーブ情報及び前記アングル情報に基づいて前記情報の再生を制御する制御工程と、
を含むことを特徴とする再生方法。
【請求項２２】
前記制御工程においては、前記インターリーブ情報及び前記アングル情報に基づいて、前記読取工程におけるジャンプ動作を制御することを特徴とする請求項２１に記載の再生方法。
【請求項２３】
前記情報記録媒体には複数の前記第３情報片により構成される第１情報片が記録されていることを特徴とする請求項２１又は２２に記載の再生方法。
【請求項２４】
前記情報記録媒体に記録される複数の前記第１情報片の一部は、複数の前記第２情報片を含んで構成されることを特徴とする請求項２１乃至２３のいずれか１に記載の再生方法。
【請求項２５】
前記インターリーブ情報は、インターリーブフラグ、第２情報片の最終アドレス及び当該最終アドレスに対応する前記第２情報片の次に再生される前記第２情報片の先頭アドレスを含むことを特徴とする請求項２１乃至２４のいずれか１に記載の再生方法。
【請求項２６】
前記アングル情報はアングルチェンジを行うに当たってシームレスな切り替えが可能であるか否かを示す情報であることを特徴とする請求項２１乃至２５のいずれか１に記載の再生方法。
【請求項２７】
連続的な内容を有する情報が時間的に分割されて夫々に含まれていると共に検索情報に関する関連情報片が夫々に含まれている複数の第３情報片と、
１又は複数の前記第３情報片により構成される第２情報片と、
が記録された情報記録媒体であって、
前記検索情報には、ジャンプ再生時における複数のジャンプ再生方法のうちのいずれか一を選択するために用いられるジャンプ再生方法選択情報片が含まれており、
当該ジャンプ再生方法選択情報片は、インターリーブ情報と、アングル情報と、から構成されていることを特徴とする情報記録媒体。
【請求項２８】
複数の前記第３情報片により構成される第１情報片が記録されていることを特徴とする請求項１７に記載の情報記録媒体。
【手続補正３】
【補正対象書類名】明細書
【補正対象項目名】０００８
【補正方法】変更
【補正の内容】
【０００８】
【課題を解決するための手段】
上記課題に鑑み、請求項１に記載の発明は、連続的な内容を有する情報を時間的に分割し、検索情報に関する関連情報片を夫々に含む複数の第３情報片を作成する第３情報片作成手段と、１又は複数の前記第３情報片により構成される第２情報片を作成する第２情報片作成手段と、前記第３情報片及び前記第２情報片を情報記録媒体上に記録する記録手段と、を備え、前記検索情報には、ジャンプ再生時における複数のジャンプ再生方法のうちのいずれか一を選択するために用いられるジャンプ再生方法選択情報片を含み、当該ジャンプ再生方法選択情報片は、インターリーブ情報とアングル情報から構成されている。
【手続補正４】
【補正対象書類名】明細書
【補正対象項目名】０００９
【補正方法】変更
【補正の内容】
【０００９】
上記課題に鑑み、請求項８に記載の発明は、連続的な内容を有する情報を時間的に分割し、検索情報に関する関連情報片を夫々に含む複数の第３情報片を作成する第３情報片作成工程と、１又は複数の前記第３情報片により構成される第２情報片を作成する第２情報片作成工程と、前記第３情報片及び前記第２情報片を情報記録媒体上に記録する記録工程と、を含み、前記検索情報には、ジャンプ再生時における複数のジャンプ再生方法のうちのいずれか一を選択するために用いられるジャンプ再生方法選択情報片を含み、当該ジャンプ再生方法選択情報片は、インターリーブ情報とアングル情報から構成される。
【手続補正５】
【補正対象書類名】明細書
【補正対象項目名】００１０
【補正方法】変更
【補正の内容】
【００１０】
上記課題に鑑み、請求項１５に記載の発明は、連続的な内容を有する情報が時間的に分割されて夫々に含まれていると共に検索情報に関する関連情報片が夫々に含まれている複数の第３情報片と、１又は複数の前記第３情報片により構成される第２情報片と、が記録された情報記録媒体であって、前記検索情報には、ジャンプ再生時における複数のジャンプ再生方法のうちのいずれか一を選択するために用いられるジャンプ再生方法選択情報片が含まれており、当該ジャンプ再生方法選択情報片は、インターリーブ情報と、アングル情報と、から構成されている前記情報記録媒体から情報を再生する再生装置であって、読取手段と、読取結果から前記インターリーブ情報及び前記アングル情報を抽出する手段と、アングルチェンジの指示に応答して、前記インターリーブ情報及び前記アングル情報に基づいて前記情報の再生を制御する制御手段と、を備える。
【手続補正６】
【補正対象書類名】明細書
【補正対象項目名】００１１
【補正方法】変更
【補正の内容】
【００１１】
上記課題に鑑み、請求項２１に記載の発明は、連続的な内容を有する情報が時間的に分割されて夫々に含まれていると共に検索情報に関する関連情報片が夫々に含まれている複数の第３情報片と、１又は複数の前記第３情報片により構成される第２情報片と、が記録された情報記録媒体であって、前記検索情報には、ジャンプ再生時における複数のジャンプ再生方法のうちのいずれか一を選択するために用いられるジャンプ再生方法選択情報片が含まれており、当該ジャンプ再生方法選択情報片は、インターリーブ情報と、アングル情報と、から構成されている前記情報記録媒体から情報を再生する再生方法であって、読取工程と、読取結果から前記インターリーブ情報及び前記アングル情報を抽出する工程と、アングルチェンジの指示に応答して、前記インターリーブ情報及び前記アングル情報に基づいて前記情報の再生を制御する制御工程と、を含む。
【手続補正７】
【補正対象書類名】明細書
【補正対象項目名】００１２
【補正方法】変更
【補正の内容】
【００１２】
上記課題に鑑み、請求項２７に記載の発明は、連続的な内容を有する情報が時間的に分割されて夫々に含まれていると共に検索情報に関する関連情報片が夫々に含まれている複数の第３情報片と、１又は複数の前記第３情報片により構成される第２情報片と、が記録された情報記録媒体であって、前記検索情報には、ジャンプ再生時における複数のジャンプ再生方法のうちのいずれか一を選択するために用いられるジャンプ再生方法選択情報片が含まれており、当該ジャンプ再生方法選択情報片は、インターリーブ情報と、アングル情報と、から構成されている。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００２０
【補正方法】変更
【補正の内容】
【００２０】
なお、以下の実施の形態においては、下記リストの左側に示した特許請求の範囲における各構成要素の一例が、下記リストの右側に示した要素に対応する。
第１情報片：セル
第２情報片：インターリーブドユニット
第３情報片：ＶＯＢユニット
関連情報片：ナビパック内のＤＳＩパケット
ジャンプ再生方法選択情報片：インターリーブ情報、アングル情報
［１］情報記録媒体の実施の形態
始めに、本発明が適用された情報記録媒体の実施の一形態であるＤＶＤの物理的及び論理的な構成並びにその動作について、図１乃至図２を用いて説明する。


【手続補正１５】
【補正対象書類名】明細書
【補正対象項目名】０１１２
【補正方法】変更
【補正の内容】
【０１１２】
このように、アングルチェンジ情報を定義し、アングルチェンジ指令が入力されてから多少時間はかかるがシームレスに再生する方法と、ノンシームレスではあるが指令の入力後直ちにアングルチェンジを行う方法とのいずれにより再生すべきかを、製作者がソフトの作成時に個々の場面等を考慮して決定することができるので、ソフト制作の自由度を広げることが可能となる。
以上説明したように、上述した各実施形態によれば、ジャンプ再生時の複数の再生方法のうちいずれを用いて再生を行なうかをインターリーブ情報又はアングル情報としてＤＶＤ１に記録しているので、ユーザーの指令によりジャンプ動作が必要になった場合に、ジャンプ先の情報の種類やジャンプ先の位置等に応じて最適な再生方法でジャンプ再生を行なうことができ、記録されている情報の内容に適合した情報再生が可能となる。
【手続補正１６】
【補正対象書類名】明細書
【補正対象項目名】０１１３
【補正方法】削除
【補正の内容】